(57)【特許請求の範囲】
【請求項１】
複数の属性における設定項目を組み合わせてなる第１印刷設定情報を記憶する記憶手段を有し、設定された印刷設定情報に基づく印刷データを出力する情報処理装置であって、
前記第１印刷設定情報における設定項目から任意に選択された部分的な設定項目に対して設定値を設定した複数種類の第２印刷設定情報を、変更用の印刷設定情報として登録する登録手段と、
前記登録手段によって変更用の印刷設定情報として登録された複数種類の第２印刷設定情報から、操作画面を介してユーザによって入力された選択指示に従って任意の第２印刷設定情報を選択する選択手段と、
前記選択手段によって選択された前記任意の第２印刷設定情報の当該部分的な設定項目の設定値と、前記選択された第２印刷設定情報において任意に選択されていない設定項目の設定値について、前記第１印刷設定情報の設定値とを用いて、前記印刷データの出力に反映される印刷設定情報を決定する決定手段を有することを特徴とする情報処理装置。
【請求項２】
前記登録手段は、複数の属性における設定項目を組み合わせてなる１つの第１印刷設定情報を複数種類分登録し、
前記選択手段は、複数種類の第１印刷設定情報から任意の第１印刷設定情報と、複数種類の第２印刷設定情報から任意の第２印刷設定情報とを選択し、
前記決定手段は、前記選択手段によって選択された前記任意の第２印刷設定情報の当該部分的な設定項目の設定値と、前記選択された第２印刷設定情報において任意に選択されていない設定項目の設定値について、前記選択手段によって選択された第１印刷設定情報の設定値とを用いて印刷データの出力に反映される印刷設定情報を決定することを特徴とする請求項１に記載の情報処理装置。
【請求項３】
前記第１印刷設定情報は、所定の設定項目に対して設定値を有する基本印刷設定情報であり、前記変更用の印刷設定情報として登録された第２印刷設定情報は、任意の部分的な設定項目に対して設定値を有する上書き用印刷設定情報であることを特徴とする請求項１または２に記載の情報処理装置。
【請求項４】
前記選択手段は、前記基本印刷設定情報と前記上書き用印刷設定情報とを各々１つづつ選択させることを特徴とする請求項３に記載の情報処理装置。
【請求項５】
前記選択手段により前記基本印刷設定情報が選択された場合は、該基本印刷設定情報の各設定項目の設定値を前記印刷データの出力に反映される印刷設定情報の各印刷設定項目の設定値に設定し、前記選択手段により前記上書き用印刷設定情報が選択された場合は、該上書き用印刷設定情報の部分的な設定項目の設定値を出力に反映される印刷設定情報の対応する項目の設定値に設定する設定手段を更に有することを特徴とする請求項４に記載の情報処理装置。
【請求項６】
前記設定手段の設定に基づいた印刷設定項目の更新を実行するか否かの選択を認識する認識手段を更に有していることを特徴とする請求項５に記載の情報処理装置。
【請求項７】
所定の設定項目に設定値が設定された印刷設定情報に基づいて出力すべき印刷データを生成する情報処理装置であって、
登録用印刷設定情報として、前記所定の設定項目から任意に選択された設定項目に対して設定値を設定し、当該任意に選択された設定項目に対して設定値が設定された複数種類の登録用印刷設定情報を登録する登録手段と、
前記登録手段によって登録された複数種類の登録用印刷設定情報から１つの登録用印刷設定情報を選択する選択手段と、
前記選択手段により選択された前記１つの登録用印刷設定情報の当該任意に選択された設定項目の設定値と、前記選択された登録用印刷設定情報において任意に選択されていない設定項目の設定値について、前記選択手段による選択処理を行う際に設定されている印刷設定情報の設定値とを用いて、前記印刷データの出力に反映される印刷設定情報を決定する決定手段を有し、
前記決定手段によって決定される前記印刷データの出力に反映される印刷設定情報は、前記選択手段によって選択された少なくとも２つの登録用印刷設定情報における前記任意に選択された設定項目に対して設定された設定値を用いて決定されることを特徴とする情報処理装置。
【請求項８】
前記選択手段によって前記登録用印刷設定情報が選択された場合、該登録用印刷設定情報における任意に選択された設定項目の設定値を、前記選択手段による選択処理を行う際に設定されている印刷設定情報の対応する設定項目の設定値に設定する設定手段を更に有することを特徴とする請求項７に記載の情報処理装置。
【請求項９】
前記印刷設定情報は、アイコンで表示部に表示されることを特徴とする請求項１乃至８のいずれか１つに記載の情報処理装置。
【請求項１０】
複数の属性における設定項目を組み合わせてなる第１印刷設定情報を記憶し、設定された印刷設定情報に基づく印刷データを出力する情報処理方法であって、
前記第１印刷設定情報における設定項目から任意に選択された部分的な設定項目に対して設定値を設定した複数種類の第２印刷設定情報を、変更用の印刷設定情報として登録し、
前記登録によって変更用の印刷設定情報として登録された複数種類の第２印刷設定情報から、操作画面を介してユーザによって入力された選択指示に従って任意の第２印刷設定情報を選択し、
前記選択された前記任意の第２印刷設定情報の当該部分的な設定項目の設定値と、前記選択された第２印刷設定情報において任意に選択されていない設定項目の設定値について前記第１印刷設定情報の設定値とを用いて、前記印刷データの出力に反映される印刷設定情報を決定することを特徴とする情報処理方法。
【請求項１１】
前記登録は、複数の属性における設定項目を組み合わせてなる１つの第１印刷設定情報を複数種類分登録し、
前記選択は、複数種類の第１印刷設定情報から任意の第１印刷設定情報と、複数種類の第２印刷設定情報から任意の第２印刷設定情報とを選択し、
前記決定は、前記選択手段によって選択された前記任意の第２印刷設定情報の当該部分的な設定項目の設定値と、前記選択された第２印刷設定情報において任意に選択されていない設定項目の設定値について、前記選択手段によって選択された第１印刷設定情報の設定値とを用いて印刷データの出力に反映される印刷設定情報を決定することを特徴とする請求項１０に記載の情報処理方法。
【請求項１２】
前記第１印刷設定情報は、所定の設定項目に対して設定値を有する基本印刷設定情報であり、前記変更用の印刷設定情報として登録された第２印刷設定情報は、任意の部分的な設定項目に対して設定値を有する上書き用印刷設定情報であることを特徴とする請求項１０または１１に記載の情報処理方法。
【請求項１３】
前記選択は、前記基本印刷設定情報と前記上書き用印刷設定情報とを各々１つづつ選択させることを特徴とする請求項１２に記載の情報処理方法。
【請求項１４】
前記選択により前記基本印刷設定情報が選択された場合は、該基本印刷設定情報の各設定項目の設定値を前記印刷データの出力に反映される印刷設定情報の各印刷設定項目の設定値に置換し、前記選択により前記上書き用印刷設定情報が選択された場合は、該上書き用印刷設定情報の部分的な設定項目の設定値を出力に反映される印刷設定情報の対応する項目の設定値に置換することを特徴とする請求項１２または１３に記載の情報処理方法。
【請求項１５】
前記置換に基づいた印刷設定項目の更新を実行するか否かの選択を認識することを特徴とする請求項１４に記載の情報処理方法。
【請求項１６】
所定の設定項目に設定値が設定された印刷設定情報に基づいて出力すべき印刷データを生成する情報処理方法であって、
登録用印刷設定情報として、前記所定の設定項目から任意に選択された設定項目に対して設定値を設定し、当該任意に選択された設定項目に対して設定値が設定された複数種類の登録用印刷設定情報を登録し、
前記登録された複数種類の登録用印刷設定情報から１つの登録用印刷設定情報を選択し、
前記選択された前記１つの登録用印刷設定情報の当該任意に選択された設定項目の設定値と、前記選択された登録用印刷設定情報において任意に選択されていない設定項目の設定値について前記選択処理を行う際に設定されている印刷設定情報の設定値とを用いて、前記印刷データの出力に反映される印刷設定情報を決定し、
前記決定される前記印刷データの出力に反映される印刷設定情報は、前記選択された少なくとも２つの登録用印刷設定情報における前記任意に選択された設定項目に対して設定された設定値を用いて決定されることを特徴とする情報処理方法。
【請求項１７】
前記選択によって前記登録用印刷設定情報が選択された場合、該登録用印刷設定情報における任意に選択された設定項目の設定値を、前記選択による選択処理を行う際に設定されている印刷設定情報の対応する設定項目の設定値に置換することを特徴とする請求項１６に記載の情報処理方法。
【請求項１８】
前記印刷設定情報は、アイコンで表示部に表示されることを特徴とする請求項１０乃至１７のいずれか１つに記載の情報処理方法。
【請求項１９】
請求項１乃至９のいずれか１つに記載の情報処理装置の機能を実行するプログラムまたは請求項１０乃至１８のいずれか１つに記載の情報処理方法の方法を実行するプログラムを格納した記録媒体。
【請求項２０】
請求項１９に記載の記録媒体において、該記録媒体は情報処理装置に着脱可能であることを特徴とする記録媒体。
【請求項２１】
請求項１９に記載の記録媒体において、前記記録媒体は、ＦＤ、ＨＤ、ＣＤ−ＲＯＭ、ＭＤ、ＭＯ、メモリカード等であることを特徴とする記録媒体。
【発明の詳細な説明】
【０００１】
【発明の属する技術分野】
本発明は、ユーザインターフェースにおいて、複数の設定項目をひとまとめにして扱うための情報処理装置、情報処理方法および処理の手順を記憶した記憶媒体に関するものである。
【０００２】
【従来の技術】
一般に、情報処理装置では、ユーザインターフェースを通して各種の設定を行う。設定項目が多くて複雑な依存関係を持つ場合などに、いくつかの設定項目をひとまとめに登録し、それを選択することによって複数の項目をまとめて変更する機能をもつものがある。
【０００３】
プリンタドライバを例にとってみると、現在、グラフィックモード・解像度・カラー・フォントにおけるTrue Type の置換等の印字品位等に関するものをセットしてアイコンと関連付け、複数のアイコンの中から印刷目的に合ったものを選択して設定を変更する情報処理方法がある。ただし、これは入力用紙、出力用紙、給紙方法、排紙方法、部数、ページレイアウト等の物理設定は含まれておらず、別に設定する必要がある。
【０００４】
【発明が解決しようとする課題】
上記の例の場合、すべての設定項目が登録対象になっているわけではないので、用紙や給紙方法の設定は個々に行わなければならない。例えば、銀行や保険会社等のいくつかの特定フォーマットでの印刷を扱うような場合、用紙、給紙情報を別に設定し直さなければならないのは不便である。
【０００５】
そこで、すべての項目を登録対象とすることを考えると、上記の件に関してはメリットは出てくるが、逆に、印字品位等だけを変えたい場合でも、アイコンを選ぶと、常に用紙・給紙等もリセットされてしまうために結局それらを設定し直すことになり、やはり不便である。用紙・給紙等も含めて必要なすべてのセットを登録することもできるが、アイコンの数が多くなってしまい、かえって使い勝手が悪くなる可能性がある。
【０００６】
したがって、本発明の目的は、全項目を設定するベース設定と任意の項目を設定するオーバーライド設定を準備しておき、ベース設定（全項目設定）に対してオーバーライド設定をオーバーライドすることで、必要な何組かの設定のうち、所望の設定を簡単に行うことができる情報処理方法、情報処理装置及び処理の手順を記憶した記憶媒体を提供することにある。
【０００７】
【課題を解決するための手段】
本発明は、複数の属性における設定項目を組み合わせてなる第１印刷設定情報を記憶する記憶手段を有し、設定された印刷設定情報に基づく印刷データを出力する情報処理装置であって、前記第１印刷設定情報における設定項目から任意に選択された部分的な設定項目に対して設定値を設定した複数種類の第２印刷設定情報を、変更用の印刷設定情報として登録する登録手段と、前記登録手段によって変更用の印刷設定情報として登録された複数種類の第２印刷設定情報から、操作画面を介してユーザによって入力された選択指示に従って任意の第２印刷設定情報を選択する選択手段と、前記選択手段によって選択された前記任意の第２印刷設定情報の当該部分的な設定項目の設定値と、前記選択された第２印刷設定情報において任意に選択されていない設定項目の設定値について、前記第１印刷設定情報の設定値とを用いて、前記印刷データの出力に反映される印刷設定情報を決定する決定手段を有することを特徴とする。
また、本発明は、所定の設定項目に設定値が設定された印刷設定情報に基づいて出力すべき印刷データを生成する情報処理装置であって、登録用印刷設定情報として、前記所定の設定項目から任意に選択された設定項目に対して設定値を設定し、当該任意に選択された設定項目に対して設定値が設定された複数種類の登録用印刷設定情報を登録する登録手段と、前記登録手段によって登録された複数種類の登録用印刷設定情報から１つの登録用印刷設定情報を選択する選択手段と、前記選択手段により選択された前記１つの登録用印刷設定情報の当該任意に選択された設定項目の設定値と、前記選択された登録用印刷設定情報において任意に選択されていない設定項目の設定値について、前記選択手段による選択処理を行う際に設定されている印刷設定情報の設定値とを用いて、前記印刷データの出力に反映される印刷設定情報を決定する決定手段を有し、前記決定手段によって決定される前記印刷データの出力に反映される印刷設定情報は、前記選択手段によって選択された少なくとも２つの登録用印刷設定情報における前記任意に選択された設定項目に対して設定された設定値を用いて決定されることを特徴とする。
また、本発明は、複数の属性における設定項目を組み合わせてなる第１印刷設定情報を記憶し、設定された印刷設定情報に基づく印刷データを出力する情報処理方法であって、  前記第１印刷設定情報における設定項目から任意に選択された部分的な設定項目に対して設定値を設定した複数種類の第２印刷設定情報を、変更用の印刷設定情報として登録し、前記登録によって変更用の印刷設定情報として登録された複数種類の第２印刷設定情報から、操作画面を介してユーザによって入力された選択指示に従って任意の第２印刷設定情報を選択し、前記選択された前記任意の第２印刷設定情報の当該部分的な設定項目の設定値と、前記選択された第２印刷設定情報において任意に選択されていない設定項目の設定値について前記第１印刷設定情報の設定値とを用いて、前記印刷データの出力に反映される印刷設定情報を決定することを特徴とする。
また、本発明は、所定の設定項目に設定値が設定された印刷設定情報に基づいて出力すべき印刷データを生成する情報処理方法であって、登録用印刷設定情報として、前記所定の設定項目から任意に選択された設定項目に対して設定値を設定し、当該任意に選択された設定項目に対して設定値が設定された複数種類の登録用印刷設定情報を登録し、前記登録された複数種類の登録用印刷設定情報から１つの登録用印刷設定情報を選択し、前記選択された前記１つの登録用印刷設定情報の当該任意に選択された設定項目の設定値と、前記選択された登録用印刷設定情報において任意に選択されていない設定項目の設定値について前記選択処理を行う際に設定されている印刷設定情報の設定値とを用いて、前記印刷データの出力に反映される印刷設定情報を決定し、前記決定される前記印刷データの出力に反映される印刷設定情報は、前記選択された少なくとも２つの登録用印刷設定情報における前記任意に選択された設定項目に対して設定された設定値を用いて決定されることを特徴とする。
【０００８】
【発明の実施の形態】
次に、本発明の実施例を説明する。最初に、オーバーライド設定の概念を図１に示す。図１に示すように、ベース設定（またはカレント設定）に任意の項目だけ有効な設定値を持つオーバーライド設定を重ねると、有効な項目はその設定値が上書きされ、無効な項目はそれまでの設定値がそのまま使われる。
【０００９】
即ち、図１に示すように、ベース設定では、入力用紙：Ａ４、出力用紙：Ａ４、印刷の向き：ポートレート、ページレイアウト：１ページ印刷、拡縮率：１００％、解像度：６００ｄｐｉ、オーバレイ：通常印字、ファイル名：（なし）、True Type 置換：Ｏｎ・・・と設定されており、一方オーバーライド設定では、入力用紙：伝票Ａ、出力用紙：伝票Ａ、印刷の向き：ランドスケープ、ページレイアウト：（設定なし）、拡縮率：（設定なし）、解像度：（設定なし）、オーバレイ：オーバレイ印字、ファイル名：”伝票１．ｌｓ４”、True Type 置換：（設定なし）・・・と設定されている。したがって、ベース設定に対してオーバーライド設定をオーバーライドすると、最終設定としては、前述したように、オーバーライド設定の有効な項目はその設定値が上書きされ、無効な項目はそれまでの設定値がそのまま使われることとなるので、入力用紙：伝票Ａ、出力用紙：伝票Ａ、印刷の向き：ランドスケープ、ページレイアウト：１ページ印刷、拡縮率：１００％、解像度：６００ｄｐｉ、オーバレイ：オーバレイ印字、ファイル名：”伝票１．ｌｓ４”、True Type 置換：Ｏｎ・・・と設定される。
【００１０】
オーバーライドアイコンは複数回選択することを可能とし、常に後から選択したアイコンの登録が有効になる。
【００１１】
最初に、本発明を用いるいくつかの利用例を以下に挙げる。
例１
数種類のフォーマットの書類を扱うような場合、
〔伝票Ａ〕
入出力用紙      ：伝票Ａ（ユーザ定義用紙）
給紙方法        ：上段カセット
印刷の向き      ：ランドスケープ
オーバレイ      ：”伝票１．ｌｓ４”（伝票のフォーマットを持つ）
〔伝票Ｂ〕
入出力用紙      ：伝票Ｂ（ユーザ定義用紙）
給紙方法        ：下段カセット
印刷の向き      ：ランドスケープ
オーバレイ      ：”伝票２．ｌｓ４”
ベースはテキスト文書（高解像度、ＰＤＬモード）に適したものを選択しておき、これらのアイコンをオーバーライドすることで、用紙、給紙、フォームファイル指定、印刷方向等が１回のオペレートで設定したり、切り替えたりすることができる。
【００１２】
例２
〔製本〕
両面印刷        ：Ｏｎ
綴じ位置        ：任意に指定
綴じしろ        ：任意に指定
ベースには印刷物に応じた設定（例えば絵や図が多ければイメージ系（中解像度、イメージモード）、テキストが多ければ文書系など）を選択し、それにこの設定をオーバーライドさせると、いろいろなタイプのドキュメントに対して簡単に製本設定が行える。
【００１３】
例３
〔プログラムリスト〕
入出力用紙      ：Ａ４
給紙方向        ：下段カセット（裏紙など）
印刷の向き      ：ポートレート
True Type       ：置き換える（高速化）
用紙を節約し、高速印刷するための設定である。
【００１４】
以上の利用例のように、この発明により、いくつかのベースアイコンといくつかの利用目的に応じたオーバーライドアイコンを登録しておけば、少ないアイコンで、しかも簡単なオペレートで、任意の設定変更を行うことが可能となる。
【００１５】
以下、図面を参照して本発明の実施例を詳細に説明する。
図２は、本発明を適用したシステム構成の１例である。実施例は、図２のネットワークに接続されたホストコンピュータに格納されているプリンタドライバのプログラムに基づく制御である。図３は、ホストコンピュータの内部のブロック構成図である。図３において、３０はホストコンピュータ全体を示し、２０は周辺機器を除いたホストコンピュータの制御部を示す。１はシステム全体の制御を行うＣＰＵであり、２はＣＰＵ１のワークエリアを提供するＲＡＭであり、３はキーボードコンローラ（ＫＢＣ）であり、キーボード（ＫＢ）１０やポインティングデバイス（図示せず）からのキー入力を制御する。４はＣＲＴコントローラ（ＣＲＴＣ）であり、ＣＲＴディスプレイ（ＣＲＴ）１１の表示を制御する。５はディスクコントローラ（ＤＫＣ）であり、ブートプログラム、種々のアプリケーション、データファイル等を記憶するＦＤ、ＨＤ、ＣＤーＲＯＭ、ＭＤ、ＭＯ等の外部メモリ１２とのアクセスを制御する。６はメインバスである。
【００１６】
図１７において、１７００は外部メモリ１２（特にＦＤ（フロッピーディスク））のデータ内容であり、１７０１はデータの情報を示すボリューム情報であり、１７０２はディレクトリ情報、１７０３は本実施例で説明するプリンタドライバにおけるアイコン登録の制御プログラム、１７０４は、その関連データである。１７０３の制御プログラムは、後述する図７および図１１に示される制御手順のフローチャートに基づいてプログラムコード化されたものである。
【００１７】
８は、ＣＰＵ１の動作処理手順を記憶しているＲＯＭである。ＲＯＭ８には、外部メモリ１２に格納されている文書作成アプリケーションによって生成された文書データを印刷データに変換するためにプリンタドライバプログラムや本システムを実現するための制御プログラムを記録したプログラムＲＯＭと、システムを稼働するために必要な情報等が記録されたデータＲＯＭがある。プログラムＲＯＭに格納されているプログラムは、後述する図７および図１１のフローチャートの制御プログラムが格納されている。
【００１８】
７は、ネットワークインターフェース（Ｎｅｔ  Ｉ／Ｆ）であり、コンピュータ間のデータ転送制御や、ネットワークシステム（インターネット等）とのデータ転送を行うためのデータ制御を行う。
【００１９】
図１６は、本プリンタドライバの制御プログラムがＲＡＭ２にロードされ、実行可能となった状態のメモリマップを表すものである。
【００２０】
本実施例では、外部メモリ１２から制御プログラム及び関連データを直接ＲＡＭにロードして実行させる例を示すが、これ以外にも、外部メモリ１２から制御プログラムを動作させるたびに、外部メモリ１２からＲＡＭ２にロードするようにしてもよい。
【００２１】
１６０１は基本Ｉ／Ｏプログラムであり、本情報処理装置の電源がＯＮされたときに外部メモリからＯＳがＲＡＭ２に読み込まれ、ＯＳの動作を開始させるＩＰＬ（イニシャルプログラムローティング）機能などを有しているプログラムが入っている領域である。１６０２はＯＳであり、１６０３には制御プログラム、１６０４には関連データがそれぞれ展開され、１６０５にはＣＰＵ１が本制御プログラムを実行するワークエリアがとられている。
【００２２】
なお、本発明では、特に断らない限り、ＣＰＵ１がメインバス６を介してＲＡＭ２、ＫＢＣ３、ＣＲＴＣ４、ＤＫＣ５、ＲＯＭ８を制御するものである。ホストコンピュータの制御プログラムはＲＯＭ８もしくは外部メモリ１２に格納されており、実行時にそこからロードされ、ＲＡＭ２に展開されてから実行される。
【００２３】
このように構成されたシステムにおいて、アプリケーションやデバイスドライバの詳細設定をユーザインターフェースを開いて設定変更する際に、ユーザによるＫＢ１０またはポインティングデバイス（図示せず）からの入力を受け付け、その状態や過程を表示画面（ＣＲＴ１１）に表示する。また、本発明の実施例では、複数の設定項目の設定内容をアイコンに登録したり、そのアイコンの選択によって設定値をデータに反映させたりするが、特に断らない限り登録はＲＡＭ２または外部メモリ１２に対して行われるものである。
【００２４】
（実施例１）
アイコンの登録：
図４〜図７を用いて、複数の設定項目を１つの記録単位に登録する方法を説明する。図４〜図６は実施例１における設定登録のユーザインターフェースの例である。図４は基本となるシートで、登録されているアイコンの一覧表示部、アイコンの説明を表示するコメント欄、および新規設定または設定内容の変更を行うための「編集登録」ボタンを持つ。アイコン一覧表示部の上段は、ベース設定のアイコンであり、下段（位置Ａ・・・）はオーバーライド設定のアイコンである。
【００２５】
図５に示すシートでは登録すべきアイコンのタイトル、デザイン、コメントを設定する。
【００２６】
図６に示すシートでは登録すべき項目各々の設定を行う。ここで「既存の設定に従う」を選択した場合は既存の設定を継承し、その他の選択肢を選択した場合にはその設定が有効になることを意味する。
【００２７】
図５および図６に示したシートは、「ＯＫ」または「キャンセル」ボタンを押すまで自由に行き来できる。「ＯＫ」ボタンの押下により、その時点で設定内容が登録される。設定したタイトルが既存の場合はそのタイトルのアイコンデータが更新され、存在しない場合は新規登録となる。
【００２８】
次に、図７はホストコンピュータ３０の外部メモリ１２もしくはＲＯＭ８に格納されているプリンタドライバの制御プログラムの制御を説明するフローチャートである。図７に示したフローチャートを用いて、登録の流れに関する説明を行う。ユーザにいずれかのアイコンを選択させてから登録設定モードに入る（ステップＳ１００）。次に、ユーザにＫＢ１０を介してタイトル、コメント等の登録データの付加情報を入力させ（ステップＳ１０１）、実際に登録すべき項目の設定を行う（ステップＳ１０２）。これらのデータの初期値は、選択したアイコンに登録されている設定値とする。設定項目には有効な設定値を持った選択肢と設定値を持たずに既存の設定を継承するための選択肢とがある。すべての項目を有効な設定値で埋めればベース設定となり、任意の部分的な項目のみを有効な設定値で埋めればオーバーライド設定となる。
【００２９】
ここで、キャンセルすると（ステップＳ１０３）、何もせずに終了し（ステップＳ１０６）、ＯＫすると（ステップＳ１０４）、その時点での登録データを外部メモリ１２に登録してから（ステップＳ１０５）終了する（ステップＳ１０６）。ステップＳ１０１とステップＳ１０２はＯＫまたはキャンセルが指定されるまで実行可能である。
【００３０】
アイコンを使ったデータ設定：
図８〜図１１を用いて、アイコンを使用した場合の複数項目のデータの設定変更方法に関する説明を行う。
【００３１】
図８は基本となるシートで、登録されているアイコンの一覧表示部、カレントのベースアイコンを示すアイコン表示部、アイコンの説明を表示するコメント欄、および詳細設定の変更を行うための「編集」ボタンを持つ。
【００３２】
図９はベースアイコンを選択する様子を示している。ベースアイコンをアイコン表示部にドラッグ＆ドロップすることで、そのアイコンの設定値が有効となる。このときアイコン表示部にはドラッグしたアイコンが表示され、コメント部にはそのアイコンの持つコメントが表示される。
【００３３】
図１０はオーバーライドアイコンを選択する様子を示している。オーバーライドアイコンをアイコン表示部にドラッグ＆ドロップすることで、オーバーライドアイコンに登録されている有効な項目に対して設定値が更新される。このとき、コメント部には変更を示すコメント（図１０においては変更点の一覧）が表示される。
【００３４】
アイコンに登録されていない設定を行う場合には、「編集」ボタンの押下により各項目ごとの詳細な設定変更を行うことができる。
【００３５】
図１１はプリンタドライバの制御プログラムの制御を説明するフローチャートである。次に、図１１に示したフローチャートを用いて、データ設定変更の流れに関する説明を行う。基本画面において（ステップＳ２００）、ユーザがＫＢ１０を用いてベースアイコンを選択したとプリンタドライバが判断した場合（ステップＳ２０１）、設定対象の全項目をそのアイコンの設定値に置き換え（ステップＳ２０２）、表示画面の処理を行う（ステップＳ２０３）。ユーザがオーバーライドアイコンを選択したとプリンタドライバが判断した場合（ステップＳ２０４）、設定が有効な項目はその設定値に変更し、無効な項目はそれまでの設定値をそのまま使う（ステップＳ２０５）。こちらもデータ処理後に表示画面の処理を行う（ステップＳ２０６）。ここでキャンセルすると（ステップＳ２０７）、何もせずに設定画面を抜け、ＯＫ時（ステップＳ２０８）はデータを更新してそれまでの設定変更を有効にし（ステップＳ２０９）、データ設定モードを終了する（ステップＳ２１０）。ＯＫまたはキャンセルが指定されるまではステップＳ２０１からステップＳ２０６までのステップを繰り返す。なお、オーバーライド設定は、何度でも重ねられる。この場合、カレント設定（最終的な設定）に対して部分変更がなされる。
【００３６】
（実施例２）
アイコンの登録：
アイコンの登録に関する部分は実施例１と同様であり、説明は省略する。
【００３７】
アイコンを使ったデータ設定：
図１２〜図１５を用いて、アイコンを使用した場合の複数項目のデータの設定変更方法に関する説明を行う。
【００３８】
この実施例２では、ベースアイコンとオーバーライドアイコンの区別をしない（すべてオーバーライドアイコン扱い）。常に選択したアイコンの設定をオーバーライドする。
【００３９】
図１２は基本となるシートである。実施例１と比べ、アイコン表示部がなく、「デフォルト」ボタンがある。アイコンの選択はダブルクリックや図１３に示したようにフローティングポップアップメニュー等を使う。もちろん、受け口を設けて実施例１のようにドラッグ＆ドロップを使ってもよい。これにより選択したアイコンの有効項目をカレント設定にオーバーライドする。なお、「デフォルト」ボタンの押下により、すべての設定項目をデフォルト値に戻すことができる。
【００４０】
図１４はデフォルトボタンではなくデフォルトアイコンを用意しておくことで、同様にデフォルト設定の処理を行う例である。
【００４１】
図１５はプリンタドライバの制御プログラムの制御を説明したフローチャートである。次に、図１５に示したフローチャートを用いて、データ設定変更の流れに関する説明を行う。基本画面において（ステップＳ３００）、ユーザがデフォルトに戻す指定をしたとプリンタドライバが判断した場合（ステップＳ３０１）、設定対象の全項目をデフォルトの設定値に戻し（ステップＳ３０２）、表示画面の処理を行う（ステップＳ３０３）。アイコンを選択した場合（ステップＳ３０４）、設定が有効な項目はその設定値に変更し、無効な項目はそれまでの設定値をそのまま使う（ステップＳ３０５）。こちらもデータ処理後に表示画面の処理を行う（ステップＳ３０６）。ここでキャンセルが選択されると（ステップＳ３０７）、何もせずに設定画面を抜け、ＯＫ時（ステップＳ３０８）はデータを更新してそれまでの設定変更を有効にし（ステップＳ３０９）、データ設定モードを終了する（ステップＳ３０８）。
【００４２】
図１８は、本実施例の形態のホストコンピュータ３０に外部メモリ１２であるフロッピーディスク（ＦＤ：記憶媒体）を装填し、そのディスクに記憶されているプログラムをホストコンピュータ３０にロードする様子を示す概念図である。
【００４３】
前述の実施形態の機能を実現するソフトウエアのプログラムコードを記録した媒体を、システムあるいは装置に供給し、そのシステムあるいは装置のコンピュータ（またはＣＰＵやＭＰＵ）が記憶媒体に格納されたプログラムコードを読みだし実行することによっても本発明の目的が達成される。この場合、記憶媒体から読みだされたプログラムコード自体が本発明の新規な機能を実現することになり、そのプログラムコードを記憶した記憶媒体は本発明を構成することになる。
【００４４】
プログラムコードを供給するための記憶媒体としては、例えば、フロッピーディスク、ハードディスク、光ディスク、光磁気ディスク、ＣＤーＲＯＭ、ＣＤーＲ、磁気テープ、不揮発性のメモリカード、ＲＯＭなどを用いることができる。
【００４５】
また、コンピュータが読みだしたプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれる。
【００４６】
さらに、記憶媒体から読みだされたプログラムコードが、コンピュータに挿入された機能拡張ボードやコンピュータに接続された機能拡張ユニットに備わるメモリに書き込まれた後に、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【００４７】
【発明の効果】
以上詳細に説明したように、本発明によれば、全項目を設定するベース設定と任意の項目を設定するオーバーライド設定を準備しておき、ベース設定（全項目設定）に対してオーバーライド設定をオーバーライドすることで、必要な何組かの設定のうち、所望の設定を簡単に行うことができる情報処理方法、情報処理装置及び処理の手順を記憶した記憶媒体が得られる。
【００４８】
また、すべての項目を登録できるようにしたため、例えば、数種類の印刷物しか扱わない業務等では一通りの設定を登録しておくことで、アイコンを選択するだけですべての設定が完了する。任意の項目を有効にすることができるようにしたため、扱う文書が多くなってきても、用紙、給紙方法、フォームファイル等をセットしたアイコンを必要数登録し、そのアイコンと組み合わせて使えばよいので、それほどアイコンの数は増えずにすむ。また、従来の印字品位等の項目だけを登録しておけば、従来と全く同様の使い方ができる。
【００４９】
このように、少ないアイコン、少ないオペレートで簡単に詳細な設定を行うことが可能となり、作業効率が上がる。
【図面の簡単な説明】
【図１】図１は、オーバーライド処理の概念を説明するための図である。
【図２】図２は、本発明に適したシステム構成の一例を示す図である。
【図３】図３は、ホストコンピュータのブロック構成図である。
【図４】図４は、ユーザインターフェースの例（登録処理の基本シート）を示す図である。
【図５】図５は、ユーザインターフェースの例（タイトル、アイコン、コメント設定シート）を示す図である。
【図６】図６は、ユーザインターファースの例（各項目の詳細設定シート）を示す図である。
【図７】図７は、設定をアイコンに登録する処理のフローチャートである。
【図８】図８は、ユーザインターフェースの例（データ設定処理の基本シート１）を示す図である。
【図９】図９は、ベースアイコン選択の流れを示す図である。
【図１０】図１０は、オーバーライドアイコン選択の流れを示す図である。
【図１１】図１１は、アイコンを用いたデータ設定処理のフローチャート１である。
【図１２】図１２は、ユーザインターフェースの例（データ設定処理の基本シート２）を示す図である。
【図１３】図１３は、ユーザインターフェースの例（メニューからの選択）を示す図である。
【図１４】図１４は、ユーザインターフェースの例（データ設定処理の基本シート３）を示す図である。
【図１５】図１５は、アイコンを用いたデータ設定処理のフローチャート２である。
【図１６】図１６は、プリンタドライバの制御プログラムがＲＡＭにロードされ、実行可能となった状態のメモリマップを示す図である。
【図１７】図１７は、外部メモリのデータ内容を示す図である。
【図１８】図１８は、ディスクに記憶されているプログラムをホストコンピュータにロードする様子を示す概念図である。
【符号の説明】
１    ＣＰＵ
２    ＲＡＭ
３    ＫＢＣ（キーボードコントローラ）
４    ＣＲＴＣ（ＣＲＴコントローラ）
５    ＤＫＣ（ディスクコントローラ）
６    メインバス
１０  ＫＢ（キーボード）
１１  ＣＲＴ（表示装置）
１２  外部メモリ
【図１】
0003984736.tif 000002
【図２】
0003984736.tif 000003
【図３】
0003984736.tif 000004
【図４】
0003984736.tif 000005
【図５】
0003984736.tif 000006
【図６】
0003984736.tif 000007
【図７】
0003984736.tif 000008
【図８】
0003984736.tif 000009
【図９】
0003984736.tif 000010
【図１０】
0003984736.tif 000011
【図１１】
0003984736.tif 000012
【図１２】
0003984736.tif 000013
【図１３】
0003984736.tif 000014
【図１４】
0003984736.tif 000015
【図１５】
0003984736.tif 000016
【図１６】
0003984736.tif 000017
【図１７】
0003984736.tif 000018
【図１８】
0003984736.tif 000019